(57)【要約】  【課題】外部へのシール機能を有するターミナル構造を有した電磁アクチュエータ（電動オイルポンプ）を提供すること。【解決手段】  コネクタ１２ｈの外周にＯリング１２ｊを配設し、Ｏリング１２ｊを押圧するシールプレート１２ｉとを備えた。【選択図】図２
2007037277.tif 000002
【特許請求の範囲】
【請求項１】
コネクタ収容部を持つハウジングと、
前記ハウジング内に配設され、電磁力により可動部を駆動する電磁コイルと、
前記可動部を収容するために前記電磁コイルの内側に設けられ、流体が進入する室と、
前記電磁コイルより延設したワイヤ線と、
前記ハウジングのコネクタ収容部に配設され、前記ワイヤ線と接続された円筒形のコネクタ部材と、
前記コネクタ部材の外周に配設したシール部材と、
前記シール部材を押圧するシール固定部材と、
を備えていることを特徴とする電磁アクチュエータ。
【請求項２】
請求項１において、
前記シール部材は、前記コネクタ部材の外径と同一内径のゴム製Ｏリングを有することを特徴とする電磁アクチュエータ。
【請求項３】
請求項１において、
前記シール固定部材は、前記コネクタ部材の外径と同一内径の孔と、前記シール部材側の内周部に形成された面取り部とを有し、前記面取り部にて前記シール部材を前記コネクタ部材及び前記コネクタ収容部に押圧することを特徴とする電磁アクチュエータ。
【請求項４】
請求項１において、
電動オイルポンプに用いられることを特徴とする電磁アクチュエータ。
【発明の詳細な説明】
【技術分野】
【０００１】
本発明は、電磁アクチュエータに関し、例えば自動車の電動オイルポンプに用いられる電磁アクチュエータに関する。
【背景技術】
【０００２】
従来、センサレスブラシレスＤＣモータを使用した油圧ポンプにおいて、吐出された作動油の一部を還流することによりモータコアを冷却することを特徴とする電動式油圧ポンプが知られている。（例えば、特許文献１参照）
このセンサレスブラシレスＤＣモータ（１２）は、回転軸（１１ｅ）の外端部に結合されたマグネット（１２ａ）と、コア（１２ｂ）と、コイル（１２ｃ）と、端子（１２ｄ）と、コア（１２ｂ）、コイル（１２ｃ）及び端子（１２ｄ）と一体にモールド成形された有底筒状の樹脂製のモータハウジング（１２ｅ）とを主たる構成部材としている。モータハウジング（１２ｅ）の開口端は環状シール部材（１３）を介在してネジ（１４）によりポンプハウジング（１１ｄ）と結合されており、マグネット（１２ａ）を収容する室（１５）がモータハウジング（１２ｅ）の内部に形成されている。室（１５）は、ボデー（１１ａ）に形成された通路（１６）により吸入室（１１ｊ）に連通されている。ボデー（１１ａ）には回転軸（１１ｅ）の外周に形成された環状溝（１１ｍ）と吐出室（１１ｋ）とを連通する通路（１７）が形成されており、トロコイドポンプ（１１）がポンプ作動をしているとき、吐出室（１１ｋ）に吐出された作動油の一部が通路（１７）−環状溝（１１ｍ）−回転軸（１１ｅ）の外周とボデー（１１ａ）との間の隙間を順次通って室（１５）に流入し、コア（１２ｂ）との接触により吸熱して通路（１６）を通って吸入室（１１ｊ）に還流する。つまり、作動油によってモータ（１２）が冷却される構成となっている。
【０００３】
ところで、コア（１２ｂ）は薄い鋼板を多数枚重ねた、所謂積層鋼板であるので、各々の鋼板間には僅かな隙間が存在する。また、コア（１２ｂ）に巻き回されモールド成形されたコイル（１２ｃ）にも、同様に僅かな隙間が存在する。コア（１２ｂ）との接触により吸熱するために流れてきた作動油は、この僅かな隙間を伝わって端子（１２ｄ）から滲み出る虞がある。
【特許文献１】特開２００２−３１７７７２号公報
【発明の開示】
【発明が解決しようとする課題】
【０００４】
本発明は、上記の問題点に鑑みてなされたものであり、可動部を収容する室に進入した流体がコネクタ部材を介して外部へ漏れるのを抑制することができる電磁アクチュエータを提供することを課題とする。
【課題を解決するための手段】
【０００５】
上記した課題を解決するために講じた第１の技術的手段は、
コネクタ収容部を持つハウジングと、
前記ハウジング内に配設され、電磁力により可動部を駆動する電磁コイルと、
前記可動部を収容するために前記電磁コイルの内側に設けられ、流体が進入する室と、
前記電磁コイルより延設したワイヤ線と、
前記ハウジングのコネクタ収容部に配設され、前記ワイヤ線と接続された円筒形のコネクタ部材と、
前記コネクタ部材の外周に配設したシール部材と、
前記シール部材を押圧するシール固定部材と、
を備えたことである。
【０００６】
また、第２の技術的手段は、第１の技術的手段において、
前記シール部材は、前記コネクタ部材の外径と同一内径のゴム製Ｏリングとしたことである。
【０００７】
第３の技術的手段は、第１の技術的手段において、
前記シール固定部材は、前記コネクタ部材の外径と同一内径の孔と、前記シール部材側の内周部に形成された面取り部とを有し、前記面取り部にて前記シール部材を前記コネクタ部材及び前記コネクタ収容部に押圧したことである。
【０００８】
第４の技術的手段は、第１の技術的手段において、
電動オイルポンプに用いたことである。
【発明の効果】
【０００９】
請求項1の発明によれば、コネクタ部材の外周に配設したシール部材とシール部材を押圧するシール固定部材とを備えているので、可動部を収容する室に進入した流体がコネクタ部材から外部へ滲み出るのを抑制することができる。
【００１０】
請求項２の発明によれば、コネクタ部材の外径と同一内径のゴム製Ｏリングであるので、コネクタ部材の外周を確実にシールすることができる。
【００１１】
請求項３の発明によれば、シール固定部材は、コネクタ部材の外径と同一内径の孔と、シール部材側の内周部に形成された面取り部とを有し、面取り部にてシール部材をコネクタ部材及びコネクタ収容部に押圧するので、一層確実にシールすることができる。
【００１２】
請求項４の発明によれば、内部よりオイルの滲み出ない電動オイルポンプを提供できる。
【発明を実施するための最良の形態】
【００１３】
以下、本発明の実施形態を、電動式油圧ポンプ１０の断面図を参照して説明する。なお、以下の説明中、従来例と共通する部分については同一符号を用いて説明する。
【００１４】
図１において、油圧ポンプ１１、即ちトロコイドポンプ１１は、ボデー１１ａとカバー１１ｂとを環状シール部材１１ｃを介在させて結合して形成されたポンプハウジング１１ｄと、このボデー１１ａにより回転自在に支持された回転軸１１ｅと、この回転軸１１ｅの一端に固定された外歯付きインナーロータ１１ｆと、このインナーロータ１１ｆの外歯と噛合う内歯を有したアウターロータ１１ｇとを主たる構成部材としている。カバー１１ｂには吸入ポート１１ｈと吐出ポート１１ｉが形成されている。また、ボデー１１ａ内には、ボデー１１ａとロータ１１ｆ、１１ｇとによってロータ１１ｆ、１１ｇの軸方向一側に隣接する吸入室１１ｊ及び吐出室１１ｋが形成されている。
【００１５】
電動モータ１２、即ちセンサレスブラシレスＤＣモータ１２は、回転軸１１ｅの他端部にヨーク部材１２ｆを介して結合されたマグネット（永久磁石）１２ａと、コア１２ｂと、コイル１２ｃと、端子１２ｄと、コア１２ｂ、コイル１２ｃ及び端子１２ｄと一体にモールド成形された有底筒状の樹脂製のモータハウジング１２ｅとを主たる構成部材としている。モータハウジング１２ｅの開口端は環状シール部材１３を介してネジなど（図示省略）によりポンプハウジング１１ｄと結合されており、マグネット１２ａを収容する室１５がモータハウジング１２ｅの内部に形成されている。端子１２ｄと接続されたセンサレスドライバ（図示省略）によりコイル１２ｃが通電されて回転磁界がマグネット１２ａに与えられると、マグネット１２ａが結合された回転軸１１ｅにトルクが与えられて回転軸１１ｅが駆動され、トロコイドポンプ１１がポンプ作動する。
【００１６】
室１５は、ボデー１１ａに形成された通路１６により吸入室１１ｊに連通される。ボデー１１ａには、回転軸１１ｅの外周に形成された環状溝１１ｍと吐出室１１ｋとを連通する通路１７が形成されており、トロコイドポンプ１１がポンプ作動をしているとき、吐出室１１ｋに吐出された作動油の一部が通路１７−環状溝１１ｍ−回転軸１１ｅの外周とボデー１１ａとの間の隙間を順次通って室１５に流入し、コア１２ｂとの接触により吸熱して通路１６を通って吸入室１１ｊに還流する。つまり、作動油によってモータ１２が冷却される。また、吐出室１１ｋから通路１７を通って環状溝１１ｍに供給される作動油は回転軸１１ｅの外周摺動部を潤滑する。
【００１７】
ここで端子１２ｄの構成について、Ａ部の拡大図である図２に基づき、さらに詳しく説明する。
【００１８】
コイル１２ｃより延設した平角線（ワイヤ線）１２ｇはコネクタ１２ｈと半田付けにて電気的に接続されている。コネクタ１２ｈは略円柱形状で、一端には平角線（ワイヤ線）１２ｇが挿入され半田付けされる小孔１２ｋが形成されており、他端は先端がテーパ状の平板形状となっている。
【００１９】
平角線（ワイヤ線）１２ｇ及びコネクタ１２ｈはコア１２ｂとコイル１２ｃとともに、一体モールド成形されてモータハウジング１２ｅを形成し、コネクタ１２ｈはセンサレスドライバ（図示省略）と接続するターミナル形状をなしている。成型後コネクタ１２ｈの外周にＯリング１２ｊを配設し、内径がコネクタ１２ｈの外径と略同一な孔１２ｍを有したシールプレート１２ｉを圧入して端子１２ｄとしている。
【００２０】
シールプレート１２ｉの孔１２ｍのＯリング１２ｊ側は面取り形状（テーパ形状）を有し、面取りの斜面でＯリング１２ｊを押圧しているので、Ｏリング１２ｊの内径はコネクタ１２ｈの外周と密着する。また、Ｏリング１２ｊのシールプレート１２ｉとは反対側の面はモータハウジング１２ｅに密着するので、作動油がコア１２ｂおよびコイル１２ｃの僅かな隙間を伝わってきたとしても、コネクタ１２ｈから滲み出ることがない。
【００２１】
なお、上記説明は１個のコネクタ１２ｈについて説明してきたが、図３に示すようなコネクタ１２ｈを複数個（図３は３個）使用した場合についても同様であることはいうまでもない。
【図面の簡単な説明】
【００２２】
【図１】本発明に係る電動式油圧ポンプの断面図である。
【図２】図１のＡ部の拡大図である。
【図３】図１のＢ視図である。
【符号の説明】
【００２３】
１０・・・電動式油圧ポンプ
１１・・・油圧ポンプであるトロコイドポンプ
１１ｄ・・・ポンプハウジング
１１ｅ・・・回転軸
１１ｊ・・・吸入室
１１ｋ・・・吐出室
１２・・・電動モータであるセンサレスブラシレスＤＣモータ
１２ａ・・・マグネット
１２ｂ・・・コア
１２ｃ・・・コイル
１２ｅ・・・モータハウジング
１２ｆ・・・ヨーク部材
１２ｇ・・・平角線（ワイヤ線）
１２ｈ・・・コネクタ
１２ｉ・・・シールプレート
１２ｊ・・・Ｏリング
１２ｋ・・・小孔
１２ｍ・・・孔
１３・・・シール部材
１５・・・室
１６・・・通路
１７・・・通路
【図１】
2007037277.tif 000003
【図２】
2007037277.tif 000004
【図３】
2007037277.tif 000005